(57)【要約】【課題】通常の携帯電話において、料金を抑えつつ、簡易な方法によりＩＰ電話による通話サービスを受けられるＩＰ電話接続補助装置、ＩＰ電話接続サーバ、ＩＰ電話接続方法、ＩＰ電話接続プログラム及びＩＰ電話接続システムを提供する。【解決手段】ユーザ側の携帯電話ＣＰ１に対して、電話会社を共通にする携帯電話ＣＰ２に接続されるとともに、インターネットＮを介して、ＩＰ電話接続サーバ３００に接続されるＩＰ電話接続補助装置１００であり、携帯電話ＣＰ１の発信による携帯電話ＣＰ２の着信を検知する着信検知部１０３、携帯電話ＣＰ２の着信が検知された場合に、携帯電話ＣＰ１の電話番号を出力する認証情報出力部１０４、携帯電話ＣＰ１から入力された通話希望先の電話番号を出力するＩＰ電話接続要求部１０６、音声信号の入出力を行う音声信号入出力部１０７を有する。【選択図】図１
2010252120.tif 000002
【特許請求の範囲】
【請求項１】
ユーザ側の第１の携帯電話に対して、電話会社を共通にする第２の携帯電話に接続されるとともに、通信ネットワークを介して、ＩＰ電話接続サーバに接続されるＩＰ電話接続補助装置において、
第１の携帯電話の発信による第２の携帯電話の着信を検知する着信検知部と、
前記着信検知部により、第２の携帯電話の着信が検知された場合に、第１の携帯電話の認証情報を、通信ネットワークに出力する認証情報出力部と、
第１の携帯電話から入力され、第２の携帯電話において受信された通話希望先の電話番号を、通信ネットワークに出力するＩＰ電話接続要求部と、
第２の携帯電話と通信ネットワークとの間の音声信号の入出力を行う音声信号入出力部と、
を有することを特徴とするＩＰ電話接続補助装置。
【請求項２】
ユーザ側の第１の携帯電話に対して、電話会社を共通にする第２の携帯電話に接続されるＩＰ電話接続補助装置に、通信ネットワークを介して接続されるＩＰ電話接続サーバが、
第１の携帯電話の認証情報を記憶する認証情報記憶部と、
通信ネットワークを介して、認証情報を受け付ける認証情報受付部と、
前記認証情報受付部により受け付けた認証情報と、前記認証情報記憶部に記憶された認証情報とに基づいて、利用可能なユーザを認証する認証部と、
前記認証部により、利用可能と認証された場合に、通信ネットワークを介して、通話希望先の電話番号を含む接続要求を受け付ける接続要求受付部と、
前記接続要求受付部が受け付けた接続要求に基づいて、ＩＰ電話の接続を確立する接続確立部と、
を有することを特徴とするＩＰ電話接続サーバ。
【請求項３】
認証部による認証結果に応じた案内情報を記憶する案内情報記憶部と、
前記認証部による認証結果に応じて、前記案内情報記憶部に記憶された案内情報を選択する案内情報選択部と、
前記案内情報選択部により選択された案内情報を、通信ネットワークを介して出力する案内情報出力部と、
を有することを特徴とする請求項２記載のＩＰ電話接続サーバ。
【請求項４】
ユーザ側の第１の携帯電話に対して、電話会社を共通にする第２の携帯電話に接続されるとともに、通信ネットワークを介して、ＩＰ電話接続サーバに接続されるコンピュータ若しくは電子回路が、着信検知部、認証情報出力部、ＩＰ電話接続要求部及び音声信号入出力部を有し、
前記着信検知部が、第１の携帯電話の発信による第２の携帯電話の着信を検知する処理と、
前記認証情報出力部が、前記着信検知部により第２の携帯電話の着信が検知された場合に、第１の携帯電話の認証情報を通信ネットワークに出力する処理と、
前記ＩＰ電話接続要求部が、第１の携帯電話から入力され、第２の携帯電話において受信された通話希望先の電話番号を、通信ネットワークに出力する処理と、
音声信号入出力部が、第２の携帯電話と通信ネットワークとの間の音声信号を入出力する処理と、
を実行することを特徴とするＩＰ電話接続補助方法。
【請求項５】
ユーザ側の第１の携帯電話に対して、電話会社を共通にする第２の携帯電話に接続されるＩＰ電話接続補助装置に、通信ネットワークを介して接続されるコンピュータ若しくは電子回路が、認証情報記憶部と、認証情報受付部と、認証部と、接続要求受付部と、接続確立部とを有し、
前記認証情報記憶部が、第１の携帯電話の認証情報を記憶する処理と、
前記認証情報受部が、通信ネットワークを介して認証情報を受け付ける処理と、
前記認証部が、前記認証情報受付部が受け付けた認証情報と、認証情報記憶部に記憶された認証情報とに基づいて、利用可能なユーザを認証する処理と、
前記接続要求受付部が、前記認証部により、利用可能と認証された場合に、通信ネットワークを介して、通話希望先の電話番号を含む接続要求を受け付ける処理と、
前記接続確立部が、前記接続要求受付部が受け付けた接続要求に基づいて、ＩＰ電話の接続を確立する処理と、
を実行することを特徴とするＩＰ電話接続方法。
【請求項６】
ユーザ側の第１の携帯電話に対して、電話会社を共通にする第２の携帯電話に接続されるとともに、通信ネットワークを介して、ＩＰ電話接続サーバに接続されるコンピュータが実行可能なプログラムであって、
前記コンピュータに、
第１の携帯電話の発信による第２の携帯電話の着信を検知する処理と、
第２の携帯電話の着信が検知された場合に、第１の携帯電話の認証情報を、通信ネットワークに出力する処理、
通信ネットワークを介して入力された認証結果に応じて、第１の携帯電話から入力され、第２の携帯電話において受信された通話希望先の電話番号を、通信ネットワークに出力する処理と、
第２の携帯電話と通信ネットワークとの間の音声信号の入出力を行う処理と、
を実行させることを特徴とするＩＰ電話接続補助プログラム。
【請求項７】
ユーザ側の第１の携帯電話に対して、電話会社を共通にする第２の携帯電話に接続されるＩＰ電話接続補助装置に、通信ネットワークを介して接続されるコンピュータが実行可能なプログラムであって、
前記コンピュータに、
第１の携帯電話の認証情報を記憶する処理と、
通信ネットワークを介して認証情報を受け付ける処理と、
受け付けた認証情報と、記憶された認証情報とに基づいて、利用可能なユーザを認証する処理と、
利用可能と認証された場合に、通信ネットワークを介して、通話希望先の電話番号を含む接続要求を受け付ける処理と、
受け付けた接続要求に基づいて、ＩＰ電話の接続を確立する処理と、
を実行させることを特徴とするＩＰ電話接続プログラム。
【請求項８】
請求項１のＩＰ電話接続補助装置及び請求項２のＩＰ電話接続サーバが、通信ネットワークを介して接続されていることを特徴とするＩＰ電話接続システム。
【発明の詳細な説明】
【技術分野】
【０００１】
本発明は、一般の携帯電話等の通信端末から、ＩＰ電話を利用できるＩＰ電話接続補助装置、ＩＰ電話接続サーバ、ＩＰ電話接続方法、ＩＰ電話接続プログラム及びＩＰ電話接続システムに関するものである。
【背景技術】
【０００２】
近年、携帯電話、ＰＨＳ等の移動可能な通信端末は、世界中で著しく普及している。その理由としては、固定電話と比較して、他人と連絡をとる際の場所や時間の制約が少ないこと、設置における物理的な制約が少ないことなどが挙げられる。さらに、複数の電話会社（キャリア）の競争により、通信端末の価格及び通信料金が下がったことは、普及に拍車をかけることになった。
【０００３】
かかる状況下では、各電話会社にとっては、新規の契約者を増やすことばかりでなく、既存の契約者に自社のサービスを継続して利用してもらえることも重要となる。このため、各電話会社は、長期間継続して契約しているユーザほど、一部の料金を低額とする等、料金面での工夫を行っている。特に、一部の電話会社では、同じ会社の携帯電話同士での通話料を、無料にするサービスを実施している。
【０００４】
一方、海外へ電話をかける国際電話については、従来から、比較的高額な通話料が課されている。これは、固定電話を使用した場合でも、携帯電話を使用した場合でも同様である。このような高額な通話料を避けるための方法として、現在有効と考えられているのは、インターネットを利用して通話を行うＩＰ電話である。ＩＰ電話は、音声信号をＩＰパケット化して、インターネットを経由した通話を行うため、通信端末同士の距離に関係のないサービスが受けられる。このため、国内のみならず、海外との間においても、非常に安い料金で通話を行うことができる。
【先行技術文献】
【特許文献】
【０００５】
【特許文献１】特開２００７−１９４８９８号公報
【発明の概要】
【発明が解決しようとする課題】
【０００６】
ところで、ＩＰ電話には、固定電話のみならず、携帯電話も存在する。しかしながら、ＩＰ携帯電話を利用するには、専用の機器が必要となる。また、無線ＬＡＮのアクセスポイントが設置されている場所でしかＩＰ携帯電話による通話はできないため、現在、通話できる領域は限られている。したがって、もし、ＩＰ携帯電話を入手したとしても、別途、通常の携帯電話を持ち歩く必要があり、ユーザにとって煩雑である。パーソナルコンピュータや携帯電話に、特別な装置を接続したり、ソフトウェアをインストールしたりする等により、ＩＰ電話への接続を実現する場合には、手間がかかり、ユーザにとって面倒である。
【０００７】
本発明は、上記のような従来技術の問題点を解決するものであり、その目的は、通常の携帯電話において、料金を抑えつつ、簡易な方法によりＩＰ電話による通話サービスを受けられるＩＰ電話接続補助装置、ＩＰ電話接続サーバ、ＩＰ電話接続方法、ＩＰ電話接続プログラム及びＩＰ電話接続システムを提供することにある。
【課題を解決するための手段】
【０００８】
上記の目的を達成するため、請求項１の発明は、ユーザ側の第１の携帯電話に対して、電話会社を共通にする第２の携帯電話に接続されるとともに、通信ネットワークを介して、ＩＰ電話接続サーバに接続されるＩＰ電話接続補助装置において、第１の携帯電話の発信による第２の携帯電話の着信を検知する着信検知部と、前記着信検知部により、第２の携帯電話の着信が検知された場合に、第１の携帯電話の認証情報を、通信ネットワークに出力する認証情報出力部と、第１の携帯電話から入力され、第２の携帯電話において受信された通話希望先の電話番号を、通信ネットワークに出力するＩＰ電話接続要求部と、第２の携帯電話と通信ネットワークとの間の音声信号の入出力を行う音声信号入出力部と、を有することを特徴とする。なお、請求項１の発明は、請求項４の発明のＩＰ電話接続補助方法、請求項６の発明のＩＰ電話接続補助プログラムとして捉えることもできる。
【０００９】
請求項２の発明は、ユーザ側の第１の携帯電話に対して、電話会社を共通にする第２の携帯電話に接続されるＩＰ電話接続補助装置に、通信ネットワークを介して接続されるＩＰ電話接続サーバが、第１の携帯電話の認証情報を記憶する認証情報記憶部と、通信ネットワークを介して、認証情報を受け付ける認証情報受付部と、前記認証情報受付部により受け付けた認証情報と、前記認証情報記憶部に記憶された認証情報とに基づいて、利用可能なユーザを認証する認証部と、前記認証部により、利用可能と認証された場合に、通信ネットワークを介して、通話希望先の電話番号を含む接続要求を受け付ける接続要求受付部と、前記接続要求受付部が受け付けた接続要求に基づいて、ＩＰ電話の接続を確立する接続確立部と、を有することを特徴とする。なお、請求項２の発明は、請求項５のＩＰ電話接続方法、請求項７のＩＰ電話接続プログラムとして捉えることもできる。
【００１０】
請求項３の発明は、請求項２記載のＩＰ電話接続サーバにおいて、認証部による認証結果に応じた案内情報を記憶する案内情報記憶部と、前記認証部による認証結果に応じて、前記案内情報記憶部に記憶された案内情報を選択する案内情報選択部と、前記案内情報選択部により選択された案内情報を、通信ネットワークを介して出力する案内情報出力部と、を有することを特徴とする。
【００１１】
請求項８の発明であるＩＰ電話接続システムは、請求項１のＩＰ電話接続補助装置及び請求項２のＩＰ電話接続サーバが、通信ネットワークを介して接続されていることを特徴とする。
【００１２】
以上のような本発明では、ユーザは、ＩＰ電話の専用の端末を用意する必要がなく、自ら所有若しくは利用する第１の携帯電話を用いて、ＩＰ電話の接続サービスを受けることができる。したがって、ユーザは複数の機器を持ち歩く必要がない。また、ユーザの認証情報も、電話番号等にすることにより、認証を自動的に行うことができるため、ユーザの手間がかからない。
【００１３】
また、システム側の第２の携帯電話は、ユーザ側の第１の携帯電話と電話会社を共通にするため、料金が安くなる。このため、ＩＰ電話による通話部分も含めて、全体としての料金を低く抑えることができる。特に、携帯電話同士の通話料を非常に低額に設定している電話会社の場合、その携帯電話を利用した場合には、料金の低減効果は高くなる。
【発明の効果】
【００１４】
以上のような本発明によれば、通常の携帯電話において、料金を抑えつつ、簡易な方法によりＩＰ電話による通話サービスを受けられるＩＰ電話接続補助装置、ＩＰ電話接続サーバ、ＩＰ電話接続方法、ＩＰ電話接続プログラム及びＩＰ電話接続システムを提供することができる。
【図面の簡単な説明】
【００１５】
【図１】本発明の実施形態を示す全体構成図である。
【図２】図１の実施形態におけるＩＰ電話接続補助装置を示す機能ブロック図である。
【図３】図１の実施形態におけるＩＰ電話接続サーバを示す機能ブロック図である。
【図４】図２のＩＰ電話接続補助装置の処理手順を示すフローチャートである。
【図５】図３のＩＰ電話接続サーバの処理手順を示すフローチャートである。
【発明を実施するための形態】
【００１６】
次に、本発明を実施するための最良の形態（以下「実施形態」と呼ぶ）について図面を参照して具体的に説明する。なお、本実施形態におけるＩＰ電話接続補助装置１００、ＩＰ電話接続サーバ３００等は、専用の電子回路若しくはコンピュータをプログラムで制御することによって実現できる。この場合のハードウェアやプログラムの実現態様は各種変更可能である。また、本発明は、上記のようなプログラム、そのようなプログラムを記録したコンピュータ読取可能な記憶媒体としても把握できる。したがって、以下の説明では、本発明及び本実施形態の各機能を実現するブロックを図示した仮想的回路ブロックを用いる。
【００１７】
［１．実施形態の構成］
［１−１．全体構成］
本実施形態は、図１に示すように、携帯電話ＣＰ２、ＩＰ電話接続補助装置１００、ネットワークインタフェース２１０、ルータ２２０、ＩＰ電話接続サーバ３００等によって構成されたシステムである。本システムを構成する装置の数は例示であり、その数は自由である。なお、図中、ＣＰ１は、ユーザが所有若しくは使用する携帯電話である（請求項の第１の携帯電話）。Ｎはインターネットである。Ｙは、ＩＰ電話接続サーバ３００により接続サービスを受けられる加入者のＩＰ電話である。Ｘは、海外キャリアのサーバである。
【００１８】
また、ＩＰ電話接続サーバ３００は、情報入力用の入力手段、情報出力用の出力手段等を備えている。入力手段としては、キーボード、マウス、タッチパネル等、出力手段としては、ディスプレイ、プリンタ等が考えられるが、周知技術であるため、説明は省略する。さらに、以下に説明する各記憶部、記憶手段等は、コンピュータのメモリやハードディスク等の一般的な記憶装置、記憶媒体によって構成される。
【００１９】
［１−２．携帯電話ＣＰ２］
携帯電話ＣＰ２は、一般の（ＩＰ電話ではない）携帯電話である（請求項の第２の携帯電話）。この携帯電話ＣＰ２は、本システムのサービスの加入者の数に応じて、適当な数が用意されている。例えば、加入者が２０００人の場合に、携帯電話ＣＰ２を２５台用意することなどが考えられるが、これには限定されない。加入者には、加入契約の際に、あらかじめいずれかの携帯電話ＣＰ２の番号が通知されている。
【００２０】
さらに、本実施形態においては、加入者が所有する携帯電話ＣＰ１の電話会社と、当該加入者に通知される電話番号に対応する携帯電話ＣＰ２の電話会社とが、一致している。このようにすることにより、携帯電話ＣＰ１と携帯電話ＣＰ２との間の通話料は安価となる。また、通常、携帯電話から固定電話への通話は、携帯電話同士の通話よりも、通話料が高くなるが、本実施形態においては、携帯電話ＣＰ２によって受信する構成としているため、通話料は安価となる。さらに、電話会社によっては、同一電話会社の間での通話料が無料となる場合もあるため、かかる場合には、通話料の低減効果は高い。
【００２１】
［１−３．ＩＰ電話接続補助装置１００］
ＩＰ電話接続補助装置１００は、携帯電話インタフェース１０１、ネットワーク接続部１０２、着信検知部１０３、認証情報出力部１０４、制御情報入出力部１０５、ＩＰ電話接続要求部１０６、音声信号入出力部１０７等を有している。
【００２２】
携帯電話インタフェース１０１は、携帯電話ＣＰ２との間での信号の入出力を行うインタフェースである。携帯電話インタフェース１０１は、携帯電話ＣＰ２に、コネクタを介して接続されている。このため、ＩＰ電話接続補助装置１００は、携帯電話ＣＰ１との間で、送受信される音声信号の入出力、着信信号や切断信号等の各種制御信号の入出力が可能となっている。また、携帯電話インタフェース１０１は、携帯電話ＣＰ２からのデジタル音声信号を、アナログ音声信号に変換する信号変換機能も有している。
【００２３】
ネットワーク接続部１０２は、ＩＰ電話接続補助装置１００の電源オン時に、インターネットＮを介して、ＩＰ電話接続サーバ３００との接続を行う手段である。着信検知部１０３は、携帯電話ＣＰ２からの着信信号を検知する手段である。認証情報出力部１０４は、着信検知部１０３が着信信号を検知した場合に、携帯電話ＣＰ２が着信した相手の携帯電話ＣＰ１の電話番号（発信者番号通知機能により取得）を出力する手段である。
【００２４】
制御情報入出力部１０５は、ＩＰ電話接続サーバ３００と携帯電話ＣＰ１，ＣＰ２との間での制御信号の入出力を行う手段である。例えば、ＩＰ電話接続サーバ３００から入力された切断信号を、携帯電話ＣＰ２に出力することにより、携帯電話ＣＰ１と携帯電話ＣＰ２との接続を切断することができる。
【００２５】
ＩＰ電話接続要求部１０６は、加入者が、携帯電話ＣＰ１から入力した通話を希望する相手先の電話番号を出力することにより、ＩＰ電話接続サーバ３００への接続要求を行う手段である。音声信号入出力部１０７は、携帯電話ＣＰ１，ＣＰ２とＩＰ電話接続サーバ３００若しくは相手先の電話との音声信号の入出力を行う手段である。
【００２６】
なお、上記の各部は、ＩＰ電話接続補助装置１００の機能を概念的にブロック化したものである。実際には、入力信号（例えば、着信信号、切断信号等）によって切り替わるスイッチ等により、適宜接続される回線を、上記の各種信号が経由する場合や、バッファ等の記憶手段を介して、上記の各種信号が入出力される場合も含まれる。
【００２７】
［１−４．ネットワークインタフェース２１０］
ネットワークインタフェース２１０は、インターネットＮとの間での信号の入出力を行うインタフェースである。このネットワークインタフェース２１０は、携帯電話インタフェース１０１からのアナログ音声信号を、デジタル音声信号に変換する信号変換機能も有している（例えば、Ｔ／Ａ、ＡＴＡ等）。
【００２８】
［１−５．ルータ２２０］
ルータ２２０は、ネットワークインタフェース２１０を介して、ＩＰ電話接続補助装置１００とインターネットＮとの接続等を行う通信機器である。ルータ２２０は、各拠点における複数のＩＰ電話接続補助装置１００の経路制御を行うことができるが、このような機能は周知であるため、説明を省略する。
【００２９】
［１−６．ＩＰ電話接続サーバ３００］
ＩＰ電話接続サーバ３００は、認証情報受付部３０１、認証情報記憶部３０２、認証部３０３、案内情報記憶部３０４、案内情報選択部３０５、案内情報出力部３０６、登録情報記憶部３０７、接続要求受付部３０８、接続確立部３０９、制御情報出力部３１０、通信制御部３１１等を有している。
【００３０】
認証情報受付部３０１は、ＩＰ電話接続サーバ３００からの認証情報を受け付ける手段である。認証情報記憶部３０２は、あらかじめ加入者の認証情報を記憶する手段である。認証情報としては、本実施形態においては、加入者の携帯電話ＣＰ１の電話番号とする。この認証情報としては、後述するように、他の情報も利用可能である。認証部３０３は、認証情報記憶部３０２に記憶された認証情報に基づいて、認証情報受付部３０１が受け付けた認証情報が、加入者のものかどうかを判定する手段である。
【００３１】
案内情報記憶部３０４は、加入者及び非加入者への案内情報を記憶する手段である。この案内情報は、音声、テキスト、画像のいずれか一種若しくはその組み合わせである。案内情報選択部３０５は、認証部３０３の認証結果に応じて、案内情報記憶部３０４に記憶された案内情報を選択する手段である。案内情報出力部３０６は、案内情報選択部３０５により選択された案内情報を出力する手段である。
【００３２】
登録情報記憶部３０７は、ＩＰ電話を接続するためのデータを記憶する手段である。例えば、登録情報記憶部３０７は、ＳＩＰの登録サーバとしての機能を有する。記憶されるデータとしては、例えば、次のようなものが挙げられる。
（１）ネットワークインタフェース２１０のＩＰアドレス
（２）加入ＩＰ電話の電話番号とそのＩＰアドレス
（３）海外キャリアのサーバＸのＩＰアドレス
（４）国内キャリアのサーバ（図示せず）のＩＰアドレス
【００３３】
接続要求受付部３０８は、加入者が通話を希望する相手先の電話番号を受け付ける手段である。接続確立部３０９は、接続要求受付部３０８が受け付けた相手先の電話と、ネットワークインタフェース２１０とのＩＰ電話の接続を確立する手段である。接続確立部３０９は、例えば、プロキシサーバ、リダイレクトサーバ等のＳＩＰサーバとしての機能を有している。なお、上記の各記憶部への情報の記憶は、入力手段、外部の記憶手段若しくはインターネットＮ等のネットワーク等を介して、あらかじめ入力される。
【００３４】
制御情報出力部３１０は、着信信号や切断信号等の各種制御信号の入出力を行う手段である。通信制御部３１１は、ＩＰ電話接続サーバ３００とインターネットＮとの接続及び情報の送受信を制御する手段である。例えば、ネットワークインタフェースカード、ドライバ、ルータ等の通信制御のためのソフトウェア及びハードウェアが広く含まれるが、一般的な技術であるため、説明は省略する。
【００３５】
［２．実施形態の作用］
以上のような本実施形態による処理手順を、図３及び図４のフローチャートを参照して説明する。なお、図３はＩＰ電話接続補助装置１００の処理手順、図４はＩＰ電話接続サーバ３００の処理手順を示す。このため、ＩＰ電話接続補助装置１００及びＩＰ電話接続サーバ３００との間でやり取りされる情報に応じて、図３及び図４のフローチャートを交互に参照する。
【００３６】
［２−１．装置の起動］
ＩＰ電話接続補助装置１００の電源を入れると、ネットワーク接続部１０２は、ネットワークインタフェース２１０を介して、ＩＰ電話接続サーバ３００とアクセス可能な状態とする（ステップ４１）。
【００３７】
［２−２．加入者の認証を受ける］
ユーザは、システムを利用するために、携帯電話ＣＰ１から、携帯電話ＣＰ２の電話番号を入力して、発信する。システム側では、あらかじめ用意された携帯電話ＣＰ２のうち、対応する電話番号の携帯電話ＣＰ２が着信する。携帯電話ＣＰ２は、着信信号及び携帯電話ＣＰ１の電話番号を、ＩＰ電話接続補助装置１００へ出力する。着信検知部１０３は、着信信号に基づいて、携帯電話ＣＰ２にて着信したことを検知する（ステップ４２）。認証情報出力部１０４は、携帯電話ＣＰ１から入力された電話番号を、ＩＰ電話接続サーバ３００に出力する（ステップ４３）。
【００３８】
ＩＰ電話接続サーバ３００においては、認証情報受付部３０１が、携帯電話ＣＰ１の電話番号を受け付ける（ステップ５１）。そして、認証部３０３が、認証情報記憶部３０２に記憶された認証情報に基づいて、当該電話番号が加入者のものであるか否かを判定する（ステップ５２）。認証部３０３が、加入者であると判定した場合には、案内情報選択部３０５が、案内情報記憶部３０４から、加入者用の案内情報を選択する。選択された加入者用の案内情報は、案内情報出力部３０６によって、ＩＰ電話接続補助装置１００に出力される（ステップ５３）。
【００３９】
認証部３０３が、加入者でないと判定した場合には、案内情報選択部３０５が、案内情報記憶部３０４から、非加入者用の案内情報を選択する。選択された非加入者用の案内情報は、案内情報出力部３０６によって、ＩＰ電話接続補助装置１００に出力される（ステップ５４）。なお、非加入者用の案内情報を出力した後、制御情報出力部３１０は、切断信号をＩＰ電話接続補助装置１００に出力する（ステップ５８）。
【００４０】
［２−３．案内情報を知る］
ＩＰ電話接続補助装置１００においては、受信した案内情報（例えば、案内音声）を、音声信号入出力部１０７が携帯電話ＣＰ２に出力する（ステップ４４）。携帯電話ＣＰ２は、案内情報を携帯電話ＣＰ１に送信するので、ユーザは、携帯電話ＣＰ１において、案内情報を知る（例えば、案内音声を聴く、案内文を読む等）ことができる。
【００４１】
この案内情報は、例えば、加入者の場合には、通話を希望する相手先の電話番号の入力を促す内容となっているが、非加入者の場合には、加入契約がなされてないため利用できない旨の内容となっている。非加入者用の案内情報を出力した後、制御情報入出力部１０５は、切断信号を受信し、これを携帯電話ＣＰ２に出力することにより、通話を終了させる（ステップ４５，５０）。
【００４２】
［２−４．相手先に電話をかける］
加入者は、携帯電話ＣＰ１に通話を希望する相手先の電話番号を入力する。すると、これを携帯電話ＣＰ２が受信して、ＩＰ電話接続補助装置１００に入力する（ステップ４５，４６）。ＩＰ電話接続要求部１０６は、相手先の電話番号をＩＰ電話接続サーバ３００に出力することにより、相手先とのＩＰ電話の接続を要求する（ステップ４７）。
【００４３】
［２−５．ＩＰ電話を接続する］
ＩＰ電話接続サーバ３００においては、接続要求受付部３０８において、相手先の電話番号に基づく接続要求を受け付ける（ステップ５５）。そして、接続確立部３０９が、登録情報記憶部３０７に記憶された情報（ＩＰアドレス等）に基づいて、相手先の電話とのＩＰ電話の接続を確立する（ステップ５６）。
【００４４】
すなわち、相手先が、海外の電話の場合には、海外キャリアのサーバＸのＩＰアドレスに基づいて、当該サーバＸとのセッションを確立し、相手先の電話を呼び出す。相手先が国内の固定電話、携帯電話等であれば、それぞれの国内キャリアのサーバとのセッションを確立し、相手先の電話を呼び出す。相手先が加入者のＩＰ電話Ｙの場合には、当該ＩＰ電話Ｙを呼び出す。相手先の電話が出ると（例えば、オフフックにより）、接続が開始する。なお、ＳＩＰによるセッションの確立手順は、周知の技術であるため、説明を省略する。
【００４５】
双方で発話されて入力される音声信号は、ＩＰ電話接続補助装置１００における音声信号入出力部１０７によって入出力されるので、携帯電話ＣＰ２を介して、携帯電話ＣＰ１と相手方の電話との間で通話可能となる（ステップ４８）。
【００４６】
［２−６．通話を終了する］
いずれか一方から切断要求が出力された場合には（ステップ４９）、切断信号が制御情報入出力部１０５を介して入出力され、ＩＰ電話による通話が終了する（ステップ５０）。また、ＩＰ電話接続サーバ３００においては、切断信号を受信した場合（ステップ５７）、制御情報出力部３１０が、ＩＰ電話接続補助装置１００に切断信号を出力する（ステップ５８）。制御情報入出力部１０５は受信した切断信号を携帯電話ＣＰ２に出力することにより、携帯電話ＣＰ１との通話を終了させる（ステップ５０）。
【００４７】
なお、ＩＰ電話接続サーバ３００が、加入者用の案内音声を出力した後、相手先の電話番号の入力がないまま所定時間が経過した場合には（ステップ５５）、制御情報出力部３１０が切断信号を出力する（ステップ５８）。制御情報入出力部１０５は、受信した切断信号を携帯電話ＣＰ２に出力することにより、携帯電話ＣＰ１との通話を終了させる（ステップ５０）。
【００４８】
［３．実施形態の効果］
以上のような本実施形態によれば、ユーザは、ＩＰ電話の専用の端末を用意する必要がなく、自ら所有若しくは利用する携帯電話ＣＰ１を用いて、ＩＰ電話の接続サービスを受けることができる。したがって、ユーザは複数の機器を持ち歩く必要がない。また、ユーザの認証も、電話番号によって自動的に行うことができるため、ユーザの手間がかからない。
【００４９】
また、システム側の携帯電話ＣＰ２は、ユーザ側の携帯電話ＣＰ１と電話会社を共通にするため、通話料が安くなる。このため、ＩＰ電話による通話部分も含めて、全体としての通話料を低く抑えることができる。特に、同一の携帯電話同士の通話料を低額に設定している電話会社の携帯電話を利用する場合には、料金の低減効果は高くなる。
【００５０】
［４．他の実施形態］
なお、本発明は上記実施形態に限定されるものではない。例えば、本発明における第１の携帯電話及び第２の携帯電話は、携帯電話、ＰＨＳ等、ＩＰ電話でない音声通話が可能な通信端末を含む広い概念である。また、通信端末間の通話に、ＩＰ電話を介在させることができるシステムであれば、通信プロトコルとしては、ＳＩＰには限定されない。音声品質やセキュリティの確保についても、現在及び将来において利用可能なあらゆる手法を適用できる。使用するゲートウェイ、ゲートキーパー等の選択も、自由である。
【００５１】
相手先の電話と接続される装置としては、ＩＰアドレスを付与可能な通信装置であれば、ネットワークインタフェース２１０に限らない。例えば、ＩＰ電話接続補助装置１００、ＩＰ電話接続サーバ３００であってもよい。ＩＰ電話接続補助装置１００とネットワークインタフェース２１０を一体に構成してもよい。ＵＡ（ユーザエージェント）として機能する装置も、ＩＰ電話接続補助装置１００、ネットワークインタフェース２１０、ＩＰ電話接続サーバ３００のいずれであってもよい。
【００５２】
例えば、ＳＩＰのＩＮＶＩＴＥ、ＡＣＫ、ＢＹＥ等のリクエストを生成出力する機能は、ＩＰ電話接続要求部１０６が有していても、ネットワークインタフェース２１０が有していても、ＩＰ電話接続サーバ３００が有していてもよい。ＩＰ電話接続サーバ３００がＵＡとしても機能し、ＩＰ電話接続補助装置１００との間で、通話音声信号がやり取りされる構成としてもよい。
【００５３】
加入者と通話させるためのＩＰ電話接続のＩＰアドレスは、ＩＰ電話接続サーバが保有しているものを適宜付与するようにしてもよいし、ＩＰ電話接続サーバに固定的に登録されていてもよい。外部のＩＰアドレスの情報は、ＩＰ電話接続サーバが、インターネットを介して定期的にやり取りすることにより、最新のものに更新される。
【００５４】
加入者を認証するための認証情報としては、上記のように、第１の携帯電話から発信者番号通知機能によって第２の携帯電話に通知される電話番号が最も簡易である。但し、例えば、ＩＤ、パスワード、ＩＰアドレス、メールアドレス等の他、住所、氏名、性別、年齢、職業等の情報も利用可能である、これらの認証情報は、例えば、あらかじめ認証情報記憶部３０２に記憶され、第１の携帯電話ＣＰ１から入力することにより、認証部３０３による認証を受けることができる。
【符号の説明】
【００５５】
１００…電話接続補助装置
１０１…携帯電話インタフェース
１０２…ネットワーク接続部
１０３…着信検知部
１０４…認証情報出力部
１０５…制御情報入出力部
１０６…電話接続要求部
１０７…音声信号入出力部
２１０…ネットワークインタフェース
２２０…ルータ
３００…ＩＰ電話接続サーバ
３０１…認証情報受付部
３０２…認証情報記憶部
３０３…認証部
３０４…案内情報記憶部
３０５…案内情報選択部
３０６…案内情報出力部
３０７…登録情報記憶部
３０８…接続要求受付部
３０９…接続確立部
３１０…制御情報出力部
３１１…通信制御部
Ｃ１，Ｃ２…携帯電話
Ｎ…インターネット
Ｘ…サーバ
【図１】
2010252120.tif 000003
【図２】
2010252120.tif 000004
【図３】
2010252120.tif 000005
【図４】
2010252120.tif 000006
【図５】
2010252120.tif 000007